(57)【要約】      （修正有）【課題】小さく折り畳み可能な腹筋トレーニング器具を提供する。【解決手段】折り畳み可能な腹筋トレーニング器具であって、前支持部１と、後支持部２と、背もたれ部３と、クッション４を含み、クロスバー５の一端は、前支持部の上端とヒンジ結合し、クロスバーの他の一端は、後支持部の上端と相互に接続する。クッションは、クロスバーの上方に固定される。背もたれ部の下部は、後支持部の中上部とヒンジ結合し、背もたれ部の下端は、後支持部の下部との間で少なくとも１つのばね７を介して接続される。更に、背もたれ部の上端は、ヘッドレストフレームを設け、前支持部の下部は、伸び縮みして調整することができる支持脚を設ける。 【選択図】図２
0003198902.tif 000002
【実用新案登録請求の範囲】
【請求項１】
折り畳み可能な腹筋トレーニング器具に関し、それは、前支持部と、後支持部と、背もたれ部と、クッションを含み、
クロスバーの一端は、前記前支持部の上端とヒンジ結合し、しかも第一コネクタピンを通って固定しており、
前記クロスバーの他の一端は、前記後支持部の上端と相互に接続し、しかも第二コネクタピンを通って固定しており、
前記クッションは、前記クロスバーの上方に固定され、前記背もたれ部の下部は、前記後支持部の中上部とヒンジ結合し、
前記背もたれ部の下端は、後支持部の下部との間で少なくとも1つのばねを介して接続されており、前記ばねの前記背もたれ部の下端との間での接続結構と、前記ばねの前記後支持部の下部との間での接続結構とは、少なくとも一つが、取り外し可能な構造となることを特徴とする、折り畳み可能な腹筋トレーニング器具。
【請求項２】
前記背もたれ部の上端は、ヘッドレストフレームを設けており、前記ヘッドレストフレームは、ヘッドレストロッドを設けており、前記ヘッドレストロッドは、保護スポンジで被覆することを特徴とする請求項１に記載の折り畳み可能な腹筋トレーニング器具。 
【請求項３】
前記ヘッドレストフレームは、ストレッチができ、前記背もたれ部に挿し込み、固定することを特徴とする請求項２に記載の折り畳み可能な腹筋トレーニング器具。
【請求項４】
前記前支持部の下部は、ストレッチができ、調整する支持脚を設けることを特徴とする請求項１に記載の折り畳み可能な腹筋トレーニング器具。
【請求項５】
前記後支持部の下部の側面は、第一横向接続ピンを設けており、バネは、前記後支持部の一端の近傍にフックを設けており、しかも前記第一横向接続ピンに掛けられて、着脱可能な構造を形成することを特徴とする請求項１に記載の折り畳み可能な腹筋トレーニング器具。
【請求項６】
前記背もたれ部３の下端側面は、第二横向接続ピンを設けており、前記第二横向接続ピンに、遷移ブロック（Transition block）がヒンジ結合し、前記遷移ブロック（Transitionblock）は、雄ねじを設けており、前記バネは、前記背もたれ部の一端に近づいて、ねじ込み孔を形成しており、前記遷移ブロック（Transition block）の雄ねじにねじ込まれることを特徴とする請求項１に記載の折り畳み可能な腹筋トレーニング器具。
【請求項７】
前記遷移ブロック（Transitionblock）は、ヘッド部と接続部とを含み、前記ヘッド部には、ヒンジ貫通孔を設けており、しかも前記第二横向接続ピンとヒンジ結合しており、前記遷移ブロック（Transition block）の雄ねじは、接続部に設けられており、前記遷移ブロック（Transitionblock）は、前記接続部の雄ねじで、前記バネが前記背もたれ部３の一端に近づいている一端のねじ込み孔で、ねじ込まれることを特徴とする請求項６に記載の折り畳み可能な腹筋トレーニング器具。
【請求項８】
前記前支持部の中上部は、二つの平行な腿支持パッドを設けており、前記腿支持パッドの両端は、保護スポンジで被覆しており前記背もたれ部の中上部は、3つの平行な背もたれパッドを設けており、前記背もたれパッドの両端は、保護スポンジで被覆することを特徴とする請求項１に記載の折り畳み可能な腹筋トレーニング器具。
【請求項９】
前記背もたれ部の下部は、Ｕ形状のフォーク接続部となっており、前記Ｕ形状のフォーク接続部の二つのアームの中部は、ヒンジピンを通って、前記後支持部２の中上部とヒンジ結合しており、前記Ｕ形状のフォーク接続部の二つのアームの下端側面は、前記後支持部の下部の両側面と、二つのネジで、接続することを特徴とする請求項１乃至８の何れか一に記載の折り畳み可能な腹筋トレーニング器具。
【請求項１０】
前記Ｕ形状のフォーク接続部の二つのアームの間に、リミットロッドを設けており、後支持部の下表面と組み合わせて、前記背もたれ部上部の後面は、リミットロッドを設けており、後支持部の上表面と組み合わせることを特徴とする請求項９に記載の折り畳み可能な腹筋トレーニング器具。
【考案の詳細な説明】
【技術分野】
【０００１】
本考案は、トレーニング器具に関し、特に、折り畳み可能な腹筋トレーニング器具に関する。
【背景技術】
【０００２】
現在、市場にある腹筋トレーニング器具は、さまざまなモデルがあるが、ほとんどの腹筋トレーニング器具は、固定式の構造であって、大きなスペースを占め、しかも、包装および輸送のコストを低減することが困難である。
【０００３】
中国実用新案特許出願公開第ＺＬ２０１１２０３８８９１７.５号明細書（特許文献１、２０１２年７月４日、折りたたみ可能な腹筋トレーニング器具）の考案は、前支持部を含み、前記前支持部の上端には、バストパット台が接続され、上端の後側には、折りたたみ可能なメインフレームが接続され、上端の前側には、振り子ロッドがヒンジ結合され、前記前支持部の下端と前記メインフレームの後端とは、フットチューブが接続され、前記前支持部の下端と前記メインフレームの後端との間には、引っ張られる横台を設け、前記メインフレームの前端は、上脚支持部と、クッションと、支えアームを設け、その中部は、背もたれ部が、ヒンジ連結され、前記背もたれ部は、背もたれ管と、前記背もたれ管に固定されている背もたれと、を含み、前記背もたれ管は、調整フレームが接続され、前記調整フレーム下端の位置は、調整可能で前記メインフレームに接続され、前記振り子ロッドの下端は、下脚支持部が接続され、前記振り子ロッドには、折り畳み可能のダンベルラックが設けられる。本考案の横台を取り外している時、前記メインフレームと前支持部は、折り畳み可能で収納する。しかしながら、折り畳んだ後に体積はかなり大きく、空間の占用が理想的ではない。
【特許文献１】中国特許出願公開第ＺＬ２０１１２０３８８９１７.５号明細書。
【考案の概要】
【考案が解決しようとする課題】
【０００４】
本考案の目的は、折り畳み可能な腹筋トレーニング器具を提供し、折り畳んだ後に体積がより小さく、効果的に空間が占用するのを減らし、収納に便利、従って、包装と運送コストを下げた。
【課題を解決するための手段】
【０００５】
上記した目的を達成するために、本考案の技術方案は：折り畳み可能な腹筋トレーニング器具を提供し、それは、前支持部と、後支持部と、背もたれ部と、クッションを含み、クロスバーの一端は、前記前支持部の上端とヒンジ結合してしかも第一コネクタピンを通って固定しており、前記クロスバーの他の一端は、前記後支持部の上端と相互に接続してしかも第二コネクタピンを通って固定しており、前記クッションは、前記クロスバーの上方に固定されている。前記背もたれ部の下部は、前記後支持部の中上部とヒンジ結合して、前記背もたれ部の下端は、後支持部の下部との間で少なくとも1つのばねを介して接続されていて、前記ばねが前記背もたれ部の下端との間での接続結構と、前記ばねが前記後支持部の下部との間での接続結構とは、少なくとも一つが、取り外し可能な構造となる。
【０００６】
さらに、前記背もたれ部の上端は、ヘッドレストフレームを設け、前記ヘッドレストフレームは、ヘッドレストロッドを設け、前記ヘッドレストロッドは、保護スポンジで被覆する。更に、改良して、前記ヘッドレストフレームは、ストレッチができ、前記背もたれ部に挿し込み、簡単に調整できて収納に便利である。
【０００７】
さらに、前記前支持部の下部は、伸び縮みして調整することができる支持脚を設ける。
【０００８】
さらに、前記後支持部の下部の両側面には、第一横向接続ピンを設け、バネは、前記後支持部の一端の近傍にフックを設け、しかも前記第一横向接続ピンに掛けられて、着脱可能な構造を形成する。
【０００９】
さらに、前記背もたれ部３の下端側面は、第二横向接続ピンを設け、前記第二横向接続ピンに、遷移ブロック（Transition block）がヒンジ結合して、前記遷移ブロック（Transitionblock）は、雄ねじを設け、前記バネは、前記背もたれ部の一端に近づいて、ねじ込み孔を形成して、前記遷移ブロック（Transition block）の雄ねじにねじ込まれる。この構造は、バネの設置に便利で、同時に比較的バネを保護でき、バネの接続端が切れて落ちることを防止する。
【００１０】
優れた前記遷移ブロック（Transitionblock）は、ヘッド部と接続部とを含み、前記ヘッド部には、ヒンジ貫通孔を設け、しかも前記第二横向接続ピンとヒンジ結合して、前記遷移ブロック（Transition block）の雄ねじは、接続部に設けられ、前記遷移ブロック（Transitionblock）は、前記接続部の雄ねじで、前記バネが前記背もたれ部３の一端に近づいている一端のねじ込み孔で、ねじ込まれる。
【００１１】
さらに、前記前支持部の中上部は、二つの平行な腿支持パッドを設け、前記腿支持パッドの両端は、保護スポンジで被覆しており前記背もたれ部の中上部は、3つの平行な背もたれパッドを設け、前記背もたれパッドの両端は、保護スポンジで被覆する。
【００１２】
さらに、前記背もたれ部の下部は、Ｕ形状のフォーク接続部となり、前記Ｕ形状のフォーク接続部の二つのアームの中部は、ヒンジピンを通って、前記後支持部の中上部とヒンジ結合し、前記Ｕ形状のフォーク接続部の二つのアームの下端側面は、前記後支持部の下部の両側面と、二つのネジで、接続する。更に、改良型は、前記Ｕ形状のフォーク接続部の二つのアームの間に、リミットロッドを設けて、後支持部の下表面と組み合わせ、前記背もたれ部上部の後面は、リミットロッドを設けて、後支持部の上表面と組み合わせる。
【００１３】
本考案は、クロスバーの一端は、前記前支持部の上端とヒンジ結合してしかも第一コネクタピンを通って固定しており、クロスバーの他の一端は、前記後支持部の上端と相互に接続してしかも第二コネクタピンを通って固定しており、前記背もたれ部の下部は、前記後支持部の中上部とヒンジ結合する。そうすることで、第一コネクタピンと第二コネクタピンを抜き出し、前記前支持部を前記クロスバーへ折り畳み寄りかかり、前記後支持部を前記クロスバーへ折り畳み寄りかかり、前記背もたれ部は、回転でき、前記後支持部へ寄りかかり、それによって、折り畳んだ後に体積がより小さく、効果的に空間の占用を減らし、収納に便利であり、従って、包装と運送コストを下げた。 
【図面の簡単な説明】
【００１４】
【図１】本考案の前面を示す立体図である。
【図２】本考案の後面を示す立体図である。
【図３】図１の矢印表示のＡ方向を示す図である。
【図４】図３のＢ処の立体分解図である。
【図５】図３のＣ処の立体分解図である。
【図６】図３のＤ処の立体分解図である。
【図７】本考案の遷移ブロック（Transitionblock）の立体拡大図である。
【図８】本考案のバネの立体拡大図である。
【図９】本考案の折り畳みの状態図である。
【考案を実施するための形態】
【００１５】
以下は、図面と具体的な実施形態で、さらに本考案を詳細に説明する。
【００１６】
図１〜図８に示すように、本考案は、折り畳みの可能な腹筋トレーニング器具であって、前支持部１と、後支持部２と、背もたれ部３と、クッション４を含み、クロスバー５の一端は、前記前支持部１の上端とヒンジ結合し、しかも第一コネクタピン６を通って固定しており、クロスバー５の他の一端は、前記後支持部２の上端と相互に接続し、しかも第二コネクタピン６１を通って固定しており、前記クッション４は、前記クロスバー５の上方に固定されている。前記背もたれ部３の下部は、前記後支持部２の中上部とヒンジ結合する。具体的にヒンジで結合している方式は、前記背もたれ部３の下部が、Ｕ形状のフォーク接続部３１となって、前記Ｕ形状のフォーク接続部３１の二つのアームの中部は、ヒンジピン３２を通って、前記後支持部２の中上部とヒンジ結合する。
【００１７】
前記Ｕ形状のフォーク接続部３１の二つのアームの下端側面は、前記後支持部２の下部の両側面と、二つのネジで、接続する。具体的に接続する方式は、前記後支持部２の下部の両側面には、それぞれ、第一横向接続ピン２１が、固定され、各のバネ７は、前記後支持部２の一端の近傍にフック７１を設け、しかも前記第一横向接続ピン２１に掛けられて、着脱可能な構造を形成する。前記背もたれ部３下部のＵ形状フォーク接続部３１は、その二つアームの下端側面に、それぞれ、第二横向接続ピン３３が、固定され、前記第二横向接続ピン３３に、遷移ブロック（Transition block）３４がヒンジ結合して、前記遷移ブロック（Transitionblock）３４は、ヘッド部３４１と接続部３４２とを含み、前記ヘッド部３４１には、ヒンジ貫通孔３４１１を設け、しかも前記第二横向接続ピン３３とヒンジ結合して、前記遷移ブロック（Transition block）３４の接続部３４２には、雄ねじを設け、前記遷移ブロック（Transition block）３４は、前記接続部３４２の雄ねじで、前記背もたれ部３の一端に近づいて、バネ７にねじ込まれて、前記バネ７は、前記背もたれ部３の一端に近づいて、ねじ込み孔７２を形成して、前記遷移ブロック（Transition block）３４の前記接続部３４２の雄ねじと組み合わせる。
【００１８】
前記Ｕ形状のフォーク接続部３１の二つのアームの間に、リミットロッド３５を設け、後支持部２の下表面と組み合わせて、前記リミットロッド３５は、スリーブ３５１を設け、前記スリーブ３５１を通って、より良い緩衝効果と達して、前記背もたれ部３上部の後面は、リミットロッド３６を設け、後支持部２の上表面と組み合わせる。
【００１９】
前記背もたれ部３の上端は、ヘッドレストフレーム８を設け、前記ヘッドレストフレーム８は、ヘッドレストロッド８１を設け、前記ヘッドレストロッド８１は、保護スポンジで被覆する。前記ヘッドレストフレーム８は、ストレッチができ、前記背もたれ部３に挿し込み、締めネジ８２で固定する。
【００２０】
前記前支持部１の下部は、ストレッチができて調整できるＴ型の支持脚１１を設ける。
【００２１】
前記前支持部１の中上部は、二つの平行な腿支持パッド１２を設け、前記腿支持パッド１２の両端は、保護スポンジで被覆する。背もたれ部３の中上部は、3つの平行な背もたれパッド３７を設け、前記背もたれパッド３７の両端は、保護スポンジで被覆する。
【００２２】
図９のように、本考案を収納している時、第一コネクタピン６と第二コネクタピン６１を抜き出して、前記支持脚１１を前記前支持部１へ収縮させ、前記締めネジ８２を緩めて、前記ヘッドレストフレーム８を前記背もたれ部３へ収縮させ、二つのバネ７を前記後支持部２上にある第一横向接続ピン２１から外させ、そして、前記前支持部１を前記クロスバー５のヒンジ点に沿って、回転し、前記クロスバー５へ折り畳み、前記後支持部２を前記クロスバー５のヒンジ点に沿って、回転し、前記クロスバー５へ折り畳み、最後に、前記背もたれ部３も前記後支持部２の方向へ回転し、折り畳み、収納スペースを縮小するような折り畳みの状態となる。
【００２３】
本考案は、上述した好ましい実施形態を例示したが、本考案に関わる当業者が、いろいろな変化と変更を行っても、その内容が、本考案の範囲から逸脱することない限り、本考案の申請の範疇であるものと見なす。
【００２４】
１            前支持部
１１          支持脚
１２          腿支持パッド
２            後支持部
２１          第一横向接続ピン
３            背もたれ部
３１          フォーク接続部
３２          ヒンジピン
３３          第二横向接続ピン
３４          遷移ブロック（Transition block）
３５          リミットロッド
３６          リミットロッド
３７          背もたれパッド
３５１        スリーブ
３４１        ヘッド部
３４１１      ヒンジ貫通孔
３４２        接続部
４            クッション
５            クロスバー
６            第一コネクタピン
６１          第二コネクタピン
７            バネ
７１          フック
７２          ねじ込み孔
８            ヘッドレストフレーム
８１          ヘッドレストロッド
８２          締めネジ
【図１】
0003198902.tif 000003
【図２】
0003198902.tif 000004
【図３】
0003198902.tif 000005
【図４】
0003198902.tif 000006
【図５】
0003198902.tif 000007
【図６】
0003198902.tif 000008
【図７】
0003198902.tif 000009
【図８】
0003198902.tif 000010
【図９】
0003198902.tif 000011
【手続補正書】
【提出日】平成27年5月25日(2015.5.25)
【手続補正２】
【補正対象書類名】図面
【補正対象項目名】全図
【補正方法】変更
【補正の内容】
【図１】
0003198902.tif 000012
【図２】
0003198902.tif 000013
【図３】
0003198902.tif 000014
【図４】
0003198902.tif 000015
【図５】
0003198902.tif 000016
【図６】
0003198902.tif 000017
【図７】
0003198902.tif 000018
【図８】
0003198902.tif 000019
【図９】
0003198902.tif 000020
【手続補正書】
【提出日】平成27年5月25日(2015.5.25)
【手続補正１】
【補正対象書類名】図面
【補正対象項目名】全図
【補正方法】変更
【補正の内容】
【図１】
0003198902.tif 000021
【図２】
0003198902.tif 000022
【図３】
0003198902.tif 000023
【図４】
0003198902.tif 000024
【図５】
0003198902.tif 000025
【図６】
0003198902.tif 000026
【図７】
0003198902.tif 000027
【図８】
0003198902.tif 000028
【図９】
0003198902.tif 000029